(57)【要約】【課題】本発明は、ヒトのケラチン物質(P)の領域を、ケラチン物質と接触することが意図され、化粧用インク(4)の被覆物を受けるように構成された転写面(3)を担持する、変形可能な基体(2)を含むメークアップデバイスを用いてメークアップするための方法。【解決手段】方法は、以下のステップ:a.少なくとも1つのデジタルプリンタによって、転写面(3)の上に少なくとも1つの化粧用インクを付着させるステップと、b.機械的作用により、特に転写面(3)と反対側の面に圧力を加えることによって、転写面(3)をメークアップする領域と接触するように配置するステップと、c.インクを転写した後、転写面をヒトのケラチン物質の領域から離れるように移動させるステップとを含む。【選択図】図５Ｃ
2020078567.tif 000002
【特許請求の範囲】
【請求項１】
ヒトのケラチン物質の領域(P)を、前記ケラチン物質と接触することが意図され、化粧用インク(4)の被覆物を受けるように構成された転写面(3)を担持する、変形可能な基体(2)を含むメークアップデバイス(1、1')を用いてメークアップするための方法であって、
a.少なくとも1つのデジタルプリンタによって、前記転写面(3)の上に少なくとも1つの化粧用インクを付着させるステップと、
b.機械的作用により、特に前記転写面(3)と反対側の面に圧力を加えることによって、前記転写面(3)を前記メークアップする領域(P)と接触するように配置するステップと、
c.前記インクを転写した後、前記転写面を前記ヒトのケラチン物質の前記領域から離れるように移動させるステップと、
を含み、
前記プリントするステップa)と、前記転写面(3)を前記メークアップする領域(P)と接触するように配置するステップb)との間に、前記基体(2)が、変形手段の作用によって前記支持体(20)のインプリント(60)の上に固定される方法。
【請求項２】
前記基体(2)が弾性変形可能である、請求項1に記載の方法。
【請求項３】
少なくとも前記転写面(3)を前記メークアップする領域(P)と接触するように配置するステップb)の間に、前記基体(2)が、前記デバイス(1、1')の支持体(20)に載り、特に支持体(20)の上に固定される、請求項1または2に記載の方法。
【請求項４】
前記インプリント(60)を作製する予備ステップを含む、請求項3に記載の方法。
【請求項５】
前記プリントするステップa)の間に、前記支持体(20)が、少なくとも部分的に前記プリンタとともに組み立てられる、請求項2または3に記載の方法。
【請求項６】
前記プリントするステップa)の間に、前記基体(2)が、取り外し可能な基体ホルダ(12)によって支持されるか、または前記支持体(20)によって直接支持される、請求項1から5のいずれか一項に記載の方法。
【請求項７】
たとえば第1のインクを用いてメークアップされた第1の領域と、第2のインクを用いてメークアップされたまたはメークアップされていない第2の領域との間の境界を薄くするように、前記転写面(3)によって担持される着色インク(4)の被覆物によって形成されるパターン(40)を完成するステップ、および/または前記ケラチン物質上に得られた前記メークアップを完成するステップも含む、請求項1から6のいずれか一項に記載の方法。
【請求項８】
特に請求項1から7のいずれか一項に記載の方法によって、ヒトのケラチン物質の上に転写式メークアップを適用するための化粧用デバイス(1、1')であって、
・前記ケラチン物質との接触によって転写される化粧用インク(4)の被覆物を受けることが意図される、転写面(3)を画定する弾性変形可能な基体(2)と、
・少なくとも部分的に前記転写面の反対側に配置される支持体(20)であって、前記基体(2)が取り付けられ、少なくとも前記化粧用インクの前記ケラチン物質上への転写の間、前記基体(2)が載せられる支持体(20)と、
・前記支持体をデジタルプリンタ上に保持するためのシステム(250)であって、前記支持体(20)が、少なくとも前記ケラチン物質上への転写の時点で、メークアップする前記ケラチン物質の前記領域(P)のインプリント(60)を形成するように構成されるシステム(250)と、
を含み、前記基体(2)が、
前記基体(2)が前記支持体に取り付けられ、前記インプリント(60)とともに、特に流体(65)で充填された空間(E)を画定する第1の構成と、
前記基体(2)が変形手段(25)の作用を受けて前記インプリント(60)の上に固定される、転写構成として知られる第2の構成と、
の間で特に可逆的に変形可能である、化粧用デバイス(1、1')。
【請求項９】
前記インプリント(60)が設定されるか、または前記支持体(20)が、前記インプリント(60)の形状を変更するためのシステムを含み、前記変更システムが特にアクチュエータを含む、請求項8に記載のデバイス。
【請求項１０】
前記インプリント(60)の形状を変更するための前記システムが、いくつかの可動ピン(260)のアセンブリ(600)を含む、請求項9に記載のデバイス。
【請求項１１】
前記支持体が、アプリケータローラ(200)、またはパッド(300)の外面である、請求項8に記載のデバイス。
【請求項１２】
少なくとも化粧用インク(4)の前記被覆物をプリントする間、前記転写面を保持するように配置された取り外し可能な基体ホルダ(12)を含む、請求項8から11のいずれか一項に記載のデバイス。
【請求項１３】
加熱部材(30)を含む、請求項8から12のいずれか一項に記載のデバイス。
【請求項１４】
前記転写面(3)の上に付着させる少なくとも1つの化粧用着色インクの被覆物(4)を含む、請求項8から13のいずれか一項に記載のデバイス。
【請求項１５】
同じパッケージングの中に、複数の異なるデバイス(1、1')を含み、それぞれが請求項8から14のいずれか一項による前記デバイス(1、1')が、それらの転写面(3)の上に付着させた着色インク(4)の被覆物を含むか、または含まない化粧用アセンブリ(10)であって、
前記デバイスは、前記ケラチン物質とかみ合うことが意図される前記転写面の形状、および/または前記支持体の形状、および/または該デバイスが担持する前記着色インク(4)の被覆物の化学的性質、および/またはそれによって前記転写面(3)上に形成される前記パターン(40)が異なる、化粧用アセンブリ(10)。
【請求項１６】
同じパッケージングの中に、
a.請求項8から15のいずれか一項に記載の少なくとも1つのデバイス(1、1')と、
b.着色インクの少なくとも1つのカートリッジ(21)、および少なくとも1つのデバイスの前記基体(2)をインプリント(60)の上に固定するための、前記基体を変形させるための手段(25)、特に流体(65)の吸引のための手段(75)と
を含む化粧用アセンブリ(15)。
【発明の詳細な説明】
【技術分野】
【０００１】
本発明は、転写によるメークアップの適用に関する。
【背景技術】
【０００２】
基体上にプリントされたインクの付着物を転写することによって、ケラチン物質、特に皮膚をメークアップすることは困難である。この理由は、周知のインクは、プリントが実施されるとすぐに乾燥し、ケラチン物質上への転写が行われないことにある。
【０００３】
この問題を解決する1つの方法は、転写面または処理する領域を水などの適切な溶媒で湿らせることである。しかしながら、適用する溶媒の量を正確に計量することが常に可能ではなく、それによって、ケラチン物質上への「連続した(running)」転写が不均整および/または不正確なものになり、したがって、満足のいかないメークアップの結果をまねく可能性があるため、この方法は受け入れられない。
【０００４】
さらに、転写がプリントの直後またはプリントの30分以内に実施される場合だけではなく、転写がプリント後数日またはさらには数ヶ月で実施される場合も、満足のいく転写式メークアップを提供することが可能なメークアップシステムを利用できるようにすることが望ましい。
【０００５】
加えて、ケラチン物質、特に皮膚上への転写の後、パターンが比較的安定な状態にとどまることも望ましい。言い換えれば、転写の直後またはたとえば転写の1時間以内に、作り出されたパターンを劣化させることなく、特に指でメークアップした領域に触れることができると有利である。
【０００６】
しかしながら、この点において、従来製造されているメークアップ用コーティングは、満足のいく安定性を有していない場合がある。
【０００７】
この安定性の欠如は、メークアップパターンの高い精度が求められていない場合には必ずしも問題にならない。一方、プリントによって正確なパターンを得る場合には、転写後に得られるメークアップが安定していることが重要である。
【０００８】
最後に、たとえば輪郭を柔らかくし、メークアップされていない領域との境界を滑らかにすることができるように、使用者が、転写後数分以内に、転写されたパターンを修正できると有利である場合もある。
【０００９】
したがって、使用者がパターンを転写しようとするのがプリントの直後であれ、使用されるデバイスのより長いまたはより短い貯蔵期間の後であれ、溶媒を加えることなく、単純な接触によって転写式メークアップを実施することを可能にするメークアップ方法が求められている。
【００１０】
必要な場合には、転写の数分以内に、使用者がケラチン物質上に転写されたパターンを修正することを可能にする転写式メークアップデバイスを利用できるようにすることも有利であろう。
【００１１】
転写の1時間以内に、安定したパターンを得ることを可能にする転写式メークアップデバイスを利用できるようにすることも望ましい。
【００１２】
さらに、ヒトの身体の表面は、背中などの実質的に平坦な領域、略円筒形状を有する表面(腕および脚)、ならびに特に目、唇、鼻、腋の下、足の領域などのくぼみおよび半球形の部分を有する。
【００１３】
現在のところ、周知のシステムを用いた転写は、一般的に、たとえばプリント可能なプラスチックシートなど平坦な転写面を介して実施されるが、それは身体の湾曲した部分に適合することが難しい。したがって、身体の様々な部分、特にレリーフを含む部分に適合させた転写式メークアップデバイスが求められている。これらの部分については、パターンが、皮膚のレリーフに従って忠実に適用されることが重要である。
【先行技術文献】
【特許文献】
【００１４】
【特許文献１】米国特許第5032670号明細書
【特許文献２】米国特許第4999418号明細書
【特許文献３】米国特許第5106942号明細書
【特許文献４】米国特許第5030708号明細書
【特許文献５】米国特許第5102980号明細書
【特許文献６】米国特許第5043376号明細書
【特許文献７】米国特許第5104913号明細書
【特許文献８】米国特許第5281659号明細書
【特許文献９】米国特許第5194463号明細書
【特許文献１０】米国特許第4804719号明細書
【特許文献１１】国際公開第92/07913号パンフレット
【特許文献１２】欧州特許出願公開第1048282号明細書
【特許文献１３】国際公開第02/36083号パンフレット
【特許文献１４】欧州特許出願公開第1410785号明細書
【特許文献１５】欧州特許出願公開第938887号明細書
【非特許文献】
【００１５】
【非特許文献１】R.B.Simpson 2002、Rubber Basics、96頁 - ISBN 1-85957-307-X
【発明の概要】
【発明が解決しようとする課題】
【００１６】
本発明は、これらの要求のすべてまたは一部を満足させることを対象にしている。
【課題を解決するための手段】
【００１７】
その態様の第1のものによれば、本発明は、ヒトのケラチン物質の領域を、化粧用インクを受け、ケラチン物質と接触することが意図される転写面を担持する、変形可能な基体を含むメークアップデバイスを用いてメークアップするための方法に関し、方法は、以下のステップ:
a.少なくとも1つのデジタルプリンタによって、転写面の上に少なくとも1つの化粧用インクの被覆物を付着させるステップと、
b.機械的作用により、特に基体の転写面と反対側の面に圧力を加えることによって、転写面をメークアップする領域と接触するように配置するステップと、
c.インクを転写した後、転写面をメークアップする領域から離れるように移動させるステップと、
を含む。
【００１８】
「ヒトのケラチン物質」という用語は、頭皮、唇、爪、髪、睫および眉を含む皮膚;好ましくは皮膚を意味する。
【００１９】
「デジタルプリンタ」という用語は、印刷版を含む機械とは異なり、デジタルデータを用いて画素の形でプリントするための機械を意味する。デジタルプリンタを用いてプリントすることによって得られる化粧用インクの少なくとも1つの被覆物の使用によって、有利には、複雑かつカスタマイズ可能なメークアップに対して高い精度を得ることが可能になる。
【００２０】
変形可能な基体によって、転写面は、メークアップする領域のレリーフに容易に適合する。可撓性があり変形可能な基体によって、特に目、唇、鼻、腋の下または足の領域など、身体のくぼみまたは突出する領域に対しても良好な転写を得ることが可能になる。
【００２１】
本発明は、有利には、特にローラまたはパッドの外面に対応する平坦ではない転写面の上に、化粧用インクの被覆物を直接プリントすることを可能にし、それによって、レリーフを含む身体の領域への後続の転写が容易になる。ローラは大きい領域に特に有利であり、パッドはより小さい領域に適している。
【００２２】
インクおよびプリントされるパターン
好ましくは、インクは、媒介する流体の化合物、特に液体を加えることなく、ケラチン物質の上に転写することが可能である。言い換えれば、転写紙による転写(decal transfer)の場合のように、インクの転写を改善することが意図された媒介の液体を適用する必要がなく、インクは、前記インクを用いてメークアップすることが意図される領域の単純な接触によって、ケラチン物質の上に転写することができる。
【００２３】
インクは、ハーフトーン画像、たとえば単色または多色の画像を形成するように、点および/またはラスタラインの形でプリントすることによって転写面の上に付着させることができる。
【００２４】
転写面上へのプリントによって形成されるパターンは、任意のタイプのものとすることができる。このパターンは、皮膚のレリーフおよび/または色の不均一性、たとえばしみまたはほくろの外観を再現することができる。
【００２５】
転写面上に形成されるパターンは、可視領域内の白色光(400nm〜800nm)の下で観察したとき、着色するようにすることができる。変形形態として、たとえば着色インクが光互換性または蛍光性の染料を含むとき、パターンは、可視領域内の白色光の下では無色であるが、UV(365nm〜400nm)への暴露など、化学的および/またはエネルギー的な刺激に曝されると着色して見えるようにすることができる。
【００２６】
染料は、以下に記載する1つまたは複数の染料を含むことができる。
【００２７】
染料は、インクの総質量に対して、0.01%〜60%の範囲、好ましくは0.1%〜40%、またはさらには0.1%〜30%の範囲、優先的には0.5%〜20%の範囲の質量含有率でインク中に存在することができる。
【００２８】
着色インクは、水溶性染料、脂溶性染料、顔料などの粉末染料、特に真珠層および光沢のある薄片、あるいは着色ポリマーから選択される1つまたは複数の染料を含むことができる。
【００２９】
「顔料」という用語は、化粧用媒体に不溶であり、かつ化粧用インクを着色することが意図された、任意の形状の白色もしくは有色の無機粒子または有機粒子を意味すると理解すべきである。
【００３０】
「真珠層」という用語は、特にある特定の軟体動物によってそれらの殻内で産生された、または合成された、任意の形状の真珠光沢の粒子を意味すると理解すべきである。
【００３１】
顔料は、白色、黒色または有色とすること、ならびに無機性および/または有機性とすることができる。挙げることができる無機顔料は、二酸化チタン、任意選択で表面処理された酸化ジルコニウムまたは酸化セリウム、および酸化亜鉛、酸化鉄(黒色、黄色もしくは赤色)または酸化クロム、マンガンバイオレット、ウルトラマリンブルー、クロム水和物およびフェリックブルー、ならびに、たとえばアルミニウム粉末または銅粉末などの金属粉末である。
【００３２】
挙げることができる有機顔料は、カーボンブラック、D&Cタイプの顔料、およびコチニ
ールカルミンベース、またはバリウムベース、ストロンチウムベース、カルシウムベースもしくはアルミニウムベースのレーキである。
【００３３】
真珠層顔料は、チタンまたはオキシ塩化ビスマスで被覆されたマイカなどの白色真珠層顔料、酸化鉄で被覆されたチタンマイカ、特にフェリックブルーもしくは酸化クロムで被覆されたチタンマイカ、有機顔料で被覆されたチタンマイカなどの有色真珠層顔料、およびオキシ塩化ビスマスベースの真珠層顔料から選択することができる。
【００３４】
水溶性染料の中では、ポンソーのジナトリウム塩、アリザリングリーンのジナトリウム塩、キノリンイエロー、アマランスのトリナトリウム塩、タルトラジンのジナトリウム塩、ローダミンのモノナトリウム塩、フクシンのジナトリウム塩、キサントフィルおよびメチレンブルーを挙げることができる。
【００３５】
脂溶性染料の中では、スーダンレッドIII(CTFA:D&C Red 17)、ルテイン、キニザリングリーン(CTFA:D&C Green 6)、アリズロールパープルSS(CTFA:D&C Violet No.2)、スーダンブラウン、D&Cイエロー11、D&Cオレンジ5、キノリンイエロー、クルクミン、およびリコピン、β-カロチン、ビキシンまたはカプサンチンなどのカロチノイド誘導体、ならびにそれらの混合物を挙げることができる。着色ポリマーは、一般的には少なくとも2つの異なるモノマーに基づくコポリマーであり、モノマーの少なくとも1つは低分子量の有機染料である。当業者には、そうしたポリマー染料が知られている。たとえば、以下の文献:米国特許第5032670号;米国特許第4999418号;米国特許第5106942号;米国特許第5030708号;米国特許第5102980号;米国特許第5043376号;米国特許第5104913号;米国特許第5281659号;米国特許第5194463号;米国特許第4804719号;WO92/07913またはEP1048282を参照することができる。
【００３６】
着色インクは、1つまたは複数の光互換性染料、特に顔料を含むことができ、すなわち、そうした染料は、ある特定の周波数の光源によって照射されると色を変え、照射を停止すると、その初期の色または同様の色を回復する特性を有する。光互換性染料の中では、特に:
-複合無機光互換性化合物、より詳細にはWO-A-02/36083に記載されるものなど、ドープされたアルミノケイ酸塩、ならびに金属酸化物および金属酸化物水和物;
-光互換性ナフトピラン化合物、特に3H-ナフト[2,1-b]ピランまたは2H-ナフト[2,1-b]ピラン、たとえば3,3-ビス(4-メトキシフェニル)-6-モルフォリノ-3H-ナフト[2,1-b]ピラン、3-フェニル-3-(4-モルフォリノフェニル)-6-モルフォリノ-3H-[2,1-b]ピラン、3-フェニル-3-(4-ピペリジノフェニル)-6-モルフォリノ-3H-ナフト[2,1-b]ピラン、3-フェニル-3-(4-ピペリジノフェニル)-6-カルボキシメチル-9-N-ジメチル-3H-ナフト[2,1-b]ピランもしくは2-フェニル-2-(4-ピペリジノフェニル)-5-カルボキシメチル-9-N-ジメチル-2H-ナフト[2,1-b]ピラン(そうした化合物は、特許出願EP-A-1410785に記載されている);
-特許出願EP-A-938887に記載されるものなど、ジアリールエテンまたはフルギド化合物を挙げることができる。
【００３７】
着色インクは、1つまたは複数の充填剤を、特に着色インクの総重量に対して0.01重量%〜50重量%の範囲、好ましくは0.01重量%〜30重量%の範囲の含有率で含むこともできる。
【００３８】
「充填剤」という用語は、着色インクの媒体中にこのインクの製造温度にかかわらず不溶である、任意の形状の無色もしくは白色の無機粒子または合成粒子を意味すると理解すべきである。
【００３９】
これらの充填剤は、特に着色インクの流動性またはテクスチャを変える働きをする。
【００４０】
充填剤は、無機性または有機性とすること、および結晶学的な形態(たとえば層状、立方晶、六方晶、斜方晶など)にかかわらず、小板形、球形または横長の形など任意の形状のものとすることができる。タルク、マイカ、シリカ、カオリン、ポリアミド(Nylon(登録商標))粉末(Atochem製のOrgasol(登録商標))、ポリ-β-アラニン粉末およびポリエチレン粉末、テトラフルオロエチレンポリマー(Teflon(登録商標))粉末、ラウロイルリシン、デンプン、窒化ホウ素、ポリ塩化ビニリデン/アクリロニトリルなどの中空ポリマーミクロスフェア、たとえばExpancel(登録商標)(Nobel Industrie)、アクリル酸コポリマーのミクロスフェア(Dow Corning社製のPolytrap(登録商標))およびシリコーン樹脂のマイクロビーズ(たとえば、Toshiba製のTospearls(登録商標))、エラストマー性のポリオルガノシロキサン粒子、沈殿した炭酸カルシウム、炭酸マグネシウム、炭酸水素マグネシウム、ヒドロキシアパタイト、中空シリカミクロスフェア(Maprecos製のSilica Beads(登録商標))、ガラスまたはセラミックのマイクロカプセル、ならびに8〜22個の炭素原子、好ましくは12〜18個の炭素原子を含む有機カルボン酸から誘導された金属せっけん、たとえばステアリン酸亜鉛、ステアリン酸マグネシウム、ステアリン酸リチウム、ラウリン酸亜鉛またはミリスチン酸マグネシウムを挙げることができる。
【００４１】
着色インクは、薄膜形成ポリマーなどの追加のポリマーを含むこともできる。「薄膜形成ポリマー」という用語は、それ自体でまたは補助的な薄膜形成剤の存在下で、支持体、特にケラチン物質に付着する連続する薄膜を形成することができるポリマーを意味する。着色インクに使用可能な薄膜形成ポリマーの中では、ラジカル型または重縮合型の合成ポリマー、自然由来のポリマーおよびそれらの混合物、特にアクリルポリマー、ポリウレタン、ポリエステル、ポリアミド、ポリウレア、および、たとえばニトロセルロースなどのセルロースベースのポリマーを挙げることができる。
【００４２】
もちろん、当業者は、着色インクの有利な特性が、想定される追加によって悪影響を受けないように、または実質的に受けないように、このまたはこれらの任意選択の追加の化合物および/またはその量を注意深く選択するであろう。
【００４３】
着色インクは、転写面によって担持されるとき、およびケラチン物質に適用される前、液体または粉末の形にすることができる。
【００４４】
着色インクは流体であるとき、たとえば25℃において1mPa.s〜500mPa.s、好ましくは1mPa.s〜300mPa.sの粘性を有する。
【００４５】
本発明のインクの粘性は、当業者に知られている任意の方法に従って、特に以下の従来の方法に従って測定することができる。25℃において200rpmで回転するスピンドルを備えたRheomat180粘度計を用いると、当業者は一般的な知識に基づいて、測定を実施することができるように、粘度を測定するためのスピンドルをスピンドルM1、M2、M3およびM4から選択することができる。
【００４６】
着色インクは、エマルションの形にすることができる。
【００４７】
インクが化粧用トナーの形であるとき、このトナーは、着色剤の他に、電気的な変化を制御するための化合物、特定の追加の充填剤、潤滑剤、ワックスおよび/または結合剤を含むことができる。
【００４８】
好ましくは、トナーの粒子は1〜16μmの平均サイズを有する。トナーは、たとえば1〜10μmの間の粒子サイズを有する顔料を含む。
【００４９】
特定の一実施形態において、インクは、基体またはケラチン物質に適用する前に、それを流動化するように30℃〜60℃の間の温度にされ;インクは、プリントして20℃の温度まで冷えた後、固体材料をもたらすように調製することができる。
【００５０】
プリントは、複数の異なるインク、特に異なる色のインクを用いることができる。
【００５１】
プリントは、少なくとも3、特に少なくとも4、5、6、7、8、9、10、11または12の異なる色の着色インクを用いることができる。
【００５２】
プリントは、原色をもたらす着色インクのみを用いることができる。変形形態として、プリントは、原色をもたらすインクと、非原色をもたらす少なくとも1つの着色インクの両方を用いる。
【００５３】
着色インクのプリントは、3色または4色のプリントとすることができる。
【００５４】
プリントによって得られるパターンは、異なる色のいくつかの領域を含むことができる。変形形態として、プリントによって得られるパターンは、単調な色合いである。
【００５５】
着色インクは、複数のプリントパスで付着させることができる。言い換えれば、最初に着色インクの第1の部分を転写面の上にプリントし、続いて、着色インクの第2の部分を第1の部分のすべてまたは一部の上にプリントすることができる。
【００５６】
プリントは、幾何学的な修正ルールに従うこともできる。転写面が変形可能である限り、適用の間、パターンを幾何学的に変形させることができる(たとえば、2つの寸法の一方における拡張)。結果として、パターンは、適用後に所望の縮尺になるような幾何学的変形を用いてプリントされる(この場合、変形可能な寸法に従って縮小)。処理するケラチン物質の領域の上に転写された後、パターンが所望の形状を有するように、転写面上にプリントされるパターンに汎用的または特異的な幾何学的ルールを適用することができる。後でわかるように、そのような修正ルールの使用は、レリーフを含む転写面を有する基体の場合、とりわけインプリントの形を受け入れるために特に有利である。特に、処理する領域および/または所望のパターンに適合させた特定の幾何学的ルールで使用することができる。
【００５７】
一実施形態では、基体が、顔料および/または染料を含む乾燥した形の着色コーティングによって被覆され、コーティングの上に着色インクがプリントされ、次いで、転写を助ける媒介化合物、たとえば油および/または感圧型接着剤が任意選択で適用される。
【００５８】
基体
基体は、優先的には非吸収性である。基体は、少なくとも化粧用インクを受けることが意図される転写面上において非多孔性であると有利である。
【００５９】
基体は、変形可能な材料、特に熱可塑性および/またはエラストマー性の変形可能な材料を含むか、またはそうした材料からなる。
【００６０】
好ましくは、基体は弾性変形可能である。基体は、単層または複層とすることができる。
【００６１】
基体は、圧縮可能であると有利である。特にその圧縮性を高めるために、基体は、特にその中心部分に、1つまたは複数の多孔層を含むことができる。基体は、胞状体(alveola)またはミクロスフィアを組み入れた材料を含むことができる。
【００６２】
好ましくは、基体は、インクをケラチン物質の上に転写する間、転写面と反対側の面に加えられる単純な圧力によって容易に変形することができるように準備され、それによってケラチン物質との接触が改善される。
【００６３】
転写面は、たとえば円筒または球の少なくとも一部を画定する。転写面は、アプリケータローラの外面、アプリケータパッドの表面、シート形状の要素、パッチ、多孔性発泡体の表面、特にスポンジもしくはワイプのすべてまたは一部によって画定することができる。転写面は、エラストマーの混合物によって画定することができる。
【００６４】
転写面は、たとえば以下の非限定的なリスト:共重合化されたブタジエン-スチレン、ブタジエン-ニトリルおよびイソブチレン-イソプレン、共重合化されたクロロエチレン-ポリスルフィド、ポリスルフィド、EPDM(エチレン-プロピレン-ジエンモノマー)、またはポ
リエチレン-プロピレンジエンもしくはポリウレタンから選択される少なくとも1つのエラストマーによって画定される。
【００６５】
基体は、たとえばエラストマー、特にシリコーンエラストマー、たとえばVMQまたはMQ、FVMQ、PVMQ(出版物として、R.B.Simpson 2002、Rubber Basics、96頁 - ISBN 1-85957-307-Xに記載される)を含む。使用可能なエラストマーの一例は、Polytek社製のPatsil(登録商標) GEL 10という名称で販売されているものである。
【００６６】
転写面を画定する材料は、少なくとも1つの追加の充填剤、可塑剤(たとえば、グリコールエーテル、フタラートまたはシリコーン油)、着色剤(顔料または染料)、光に対する耐性を高めるための保護剤(UV-スクリーニング剤)、加硫剤および/または加硫促進剤(硫黄、酸化亜鉛)を含むことができる。
【００６７】
転写面を画定する材料の中に存在する追加の化合物は、特にインク中に存在するか、または基体を清浄化するために用いられる油および溶媒に対する耐性を改善する働きをする。
【００６８】
転写面は、基体の成形(特に架橋性材料の場合)、機械加工、レーザ加工、焼結、研磨、カレンダー加工などによって、その最終的な形状にすることができる。
【００６９】
転写面は、滑らかであることが好ましく、1mm以下、特に1〜100μmの間の粗さを有する。粗さは、尖端が10mmの曲率半径を有し、特徴付けする材料に加えられる力が6mNである粗さ計を用いて測定される。
【００７０】
基体は、標準DIN53505、ISO/R868に従って測定された、1〜30(Shore A)の間、好ましくは5〜20(Shore A)の間、より優先的には8〜15(Shore A)の間、たとえば10(Shore A)に等しい硬さを有することができる。
【００７１】
基体の厚さは、メークアップするケラチン物質に適合させることができる。
【００７２】
基体の厚さは、転写面に垂直に測定されたその寸法に対応する。転写面上の位置に応じて、基体の厚さは一定であっても一定でなくてもよい。
【００７３】
たとえば、着色インクを頬および/または爪に適用することが意図されるとき、基体は1mm〜3mmの間、またはさらには3mm超の厚さを有することができる。
【００７４】
実施形態の一例において、着色インクは目および/または唇のまわりの領域に適用することが意図され、基体は3mm〜1cmの間、またはさらには1cm超の厚さを有する。
【００７５】
実施形態の別の例において、着色インクは鼻および/または耳の領域内に適用することが意図され、基体は1cm〜3cmの間、またはさらには3cm超のより大きい厚さを有する。
【００７６】
一変形形態において、基体は、たとえば唇または眼窩のネガ(negative)など、ケラチン物質のレリーフへのその適合を容易にするように、「予備成形された」形状として作製される。
【００７７】
基体は、特に周知の形で機械的な性能品質を保証するためのカーカス、および転写面を画定するトップ(top)としても知られるブランケット層を含むプリント部において用いられるとき、プリンタのブランケットの形にすることができ、その役目は転写の性能品質を提供することである
【００７８】
実施形態の一例において、基体は、着色可能であり、かつそれ自体がヒトのケラチン物質上に転写可能であるコーティングによって、少なくとも部分的に被覆される。コーティングは、プリントすることが難しい色、たとえば白もしくは黒、または肌色などメークアップする皮膚の肌の色合いに近い色で着色することができる。変形形態として、コーティング自体は着色されない。
【００７９】
コーティングは、油性物質などの転写を改善するための補助剤、および/または持続性を改善するための補助剤、および/または日焼け止め剤などの皮膚を保護するための補助剤を含むことができる。
【００８０】
このまたはこれらのコーティングは、着色インクを用いて基体をプリントした後、基体に適用することもできる。
【００８１】
実施形態の一例において、基体は、少なくとも1つの半透明または透明な領域を含む。
【００８２】
半透明または透明な領域は、使用者が基体を透かして見ること、したがって、着色インクを転写する前にメークアップする表面をより見やすくすることを可能にする。したがって、半透明または透明な領域の存在は、有利には正確なメークアップの結果をもたらしやすくすることに寄与する。
【００８３】
半透明または透明な領域は、着色インクの層と全体的にまたは部分的に重ね合わせることができ、特に着色インクと重複することができる。
【００８４】
着色インクの被覆物は、全体として半透明または透明な領域の上に重ね合わせることができる。変形形態として、着色インクの被覆物の一部のみが、透明領域の上に重ね合わされる。
【００８５】
基体は完全に、透明または半透明の材料で作ることができる。この場合、半透明または透明な領域は、基体の表面全体にわたって広がる。
【００８６】
実施形態の一例において、着色インクは所定のパターンでプリントされ、その方法は、使用者によってパターンを選択および/または作成し、プリントを実行する少なくとも1つのプリンタに接続された機械によって、このパターンに関する情報を送信するステップを含む。
【００８７】
機械は、コンピュータ、「スマートホン」としても知られる進歩的な携帯電話、またはタッチタブレットとすることができる。機械は、物理的にかつ/またはデータ交換網によって前記プリンタに接続することができる。
【００８８】
プリントするステップa)の間、システムは、少なくとも部分的にプリンタとともに組み立てることができる。
【００８９】
少なくとも転写面をメークアップする領域と接触するように配置するステップb)の間、基体はシステムの支持要素に載ることができる。プリントの間、基体は、たとえば取り外し可能な基体ホルダによって支持される。
【００９０】
支持体
基体は、ケラチン物質上へのプリントおよび/または転写のために、特に摩擦によって支持体に自律的に取り付けることができ、支持体が基体の取扱いを助けることが可能である。
【００９１】
基体は、支持体の形状を受け入れることができる。
【００９２】
基体は、たとえば粘着性の支持体に直接接着することができる。粘着性の基体は、特にその寸法が比較的小さいと、とりわけ扱いやすい。
【００９３】
基体は管形にすることができる。それは、長手方向の軸のまわりで対称であっても対称でなくてもよい。
【００９４】
支持体は円筒形にすることができる。
【００９５】
支持体は、充填されていても中空でもよい。
【００９６】
実施形態の一例において、基体は、特にその弾性特性によって支持体の上に固定される。
【００９７】
基体は、支持体への取り付けの時点で支持体の上に固定しておくことができる。変形形態として、基体は、使用中のみ、たとえば負圧の作用の下で支持体の上に固定される。
【００９８】
支持体は、球または円筒部、特に直円柱の形状を有することができる。一変形形態において、支持体は、基体がその上に固定される平坦な面を有する。
【００９９】
支持体は、凸状の外面を有することができる。
【０１００】
支持体は、凹状の外面、たとえば基体の固定を容易にする展開可能曲面を有することができる。一変形形態において、支持体は砂時計の外形を有し、それは、末端がより細く、中心がより厚いことによってレリーフの形の身体表面への適用を容易にする、可変厚さの管形の基体を固定するのに有利である。
【０１０１】
支持体は、アプリケータローラまたはパッドの形状を有することができる。ローラの形状によって、均一な圧力分布およびパターンの均一な転写が容易になる。それにより、背中、腹、手足またはさらには頬など、平坦な領域または丸みのある領域を簡単に覆うことが可能になる。基体は、転写の間、ローラによって基体の転写面と反対側の面に加えられる力の影響を受けて変形することができる。ローラの寸法は、メークアップする領域および/または所望のパターンのサイズに適合させる。ローラの外径は、たとえば0.5〜20cmの間、またはさらには1〜10cmの間である。その回転軸に平行に測定されるローラの幅は、たとえば0.2〜40cmの間、またはさらには10〜200mmの間である。これらの寸法は、頬、腕、まぶた、背中、足首および頭皮をメークアップするのに特に適している。
【０１０２】
ローラおよびパッド
別の態様によれば、本発明は、前述のような本発明によるプリンタにおいて使用することが意図されるローラに関し、ローラは、特にケラチン物質との接触によって転写されるインク、特に化粧用インクを受けることが意図される転写面を画定する変形可能な基体を担持し、転写面は、少なくとも部分的にローラの外面を形成する。
【０１０３】
基体は、当業者に知られている任意の適切な手段によって、特に摩擦または接着によってローラに取り付けることができる。
【０１０４】
一変形形態において、ローラは、基体を取り付けるための手段、特に少なくとも1つの
固定用のクリップまたはジョーを含む。
【０１０５】
ローラは、取り外し可能な基体ホルダを含むこともできる。
【０１０６】
基体は、たとえばローラ上に成形されるローラのレリーフを受け入れることができる。一変形形態では、特にプリントの時点において、基体とローラとの間に空間が存在する。転写の間、基体はローラに対して固定され、転写面は、メークアップする領域のレリーフと一致するように変形を受ける。
【０１０７】
ローラは、直円柱の形状を有することができる。一変形形態において、ローラは、不規則な円筒の形状、たとえば砂時計の形状を有する。
【０１０８】
一変形形態において、ローラは「事前成形」される、すなわち、たとえば唇、眼窩、足首または前腕のネガなど、メークアップする領域の一般的な形状に対応する平坦ではない初期形状を有する。
【０１０９】
ローラは、保持システム、特にプリントの時点でプリンタ内に取り外し可能に収容されるハンドルを含むことができる。したがって、保持システムは、少なくともプリントのための位置決めの間、好ましい変形形態では転写の間も、ローラを保持する働きをする。
【０１１０】
ハンドルは、たとえばローラの2つの端部に組み立てられるように構成された2つの対称なジョーを含む。
【０１１１】
ハンドルは、ローラの回転を示すおよび/または妨げるためのデバイスを含むことができる。
【０１１２】
好ましくは、保持システムは取り外し可能である。保持システムは、特に複数のローラとともに使用できるように配置される。
【０１１３】
ローラは加熱することができる。
【０１１４】
ローラは充填することができる。
【０１１５】
一変形形態において、ローラは中空であり、特に加熱要素を収容するように配置される。
【０１１６】
その態様のさらに別のものによれば、本発明の主題は、本発明によるプリンタとともに使用することが意図されたパッドホルダである。
【０１１７】
パッドホルダは、特にケラチン物質と接触することが意図された転写面を有する基体を担持する、少なくとも1つのパッドを保持するように配置される。
【０１１８】
パッドホルダは、単一のパッドを保持することができる。
【０１１９】
パッドホルダは、同時にいくつかのパッドを保持するように配置することができ;パッドホルダは、特に1〜5個の間のパッド、たとえば3個のパッドを保持することができる。
【０１２０】
したがって、パッドは、たとえば10°〜210°の間の角度によって画定される円筒部に対応することができる。円筒部は、特に円筒の1/10〜4/5の間、特に円筒の1/5〜3/4の間であり、あるいは4分の1の円筒または2分の1の円筒に対応することもできる。
【０１２１】
一変形形態では、たとえばまぶたへの転写式メークアップをもたらすために、パッドに取り付けられた基体が予備成形される。
【０１２２】
パッドは、プリントの時点でパッドとともにプリンタ内に取り外し可能に収容される保持システムを含むことができる。
【０１２３】
パッドホルダを保持するためのシステムは、取り外し可能であることが好ましい。それは、前述の保持システムと同一とすることができる。特に、優先的ではないが、それを本発明によるローラまたはパッドホルダとともに使用することができる。
【０１２４】
一変形形態において、転写は、基体を回転させずにケラチン物質上に位置決めし、直接的な手の圧力を転写面と反対側の外面上に位置決めすることによって実施され、その場合、化粧用インクの転写によるメークアップの適用が容易になる。
【０１２５】
一変形形態では、転写面をメークアップする領域のレリーフに適合させることを容易にするために、ステップa)のプリントの後、転写面をメークアップする領域と接触するように配置するステップb)の前に、基体は、変形手段の作用によって支持体のインプリント形成部分に対して固定される。
【０１２６】
インプリントの形状は、メークアップするケラチン物質の領域に対応することができる。その場合、基体は:
-基体が支持体に取り付けられ、インプリントとともに空間を画定する第1の構成と、
-前記基体が変形手段の作用を受けてインプリントの上に固定される、転写構成として知られる第2の構成と、
の間で変形可能である。
【０１２７】
したがって、基体は、特に平坦または軸対称であり、かつ容易にプリント可能である規則的な転写面を有する第1の構成から、メークアップするケラチン物質の形をとるように基体を成形することができる第2の構成へ移る。
【０１２８】
第1の構成は、プリント構成に対応しても対応しなくてもよい。
【０１２９】
基体は、第1の構成と第2の構成との間で可逆的に変形可能であることが好ましく、基体の本来の弾性によって可逆性が保証されることが好ましい。
【０１３０】
第2の構成において、支持体のレリーフは、メークアップする領域のレリーフに対応することができ、したがって、前記領域の反対の型を形成する。方法は、インプリントを作製する予備ステップを含むことができる。インプリントは、特にメークアップする領域の直接的な成形、またはそうした成形品の間接的な使用、たとえば中間の型の使用によって作製することができる。
【０１３１】
成形品は、たとえばプラスタ(plaster)から、特にプラスタ付きの細片、アルギナートまたはシリコーンを用いて作製される。
【０１３２】
一変形形態において、インプリントは、3Dプリンタを用いて、たとえばその立体画像などメークアップする領域のレリーフに関するデータを処理することによって作製され;これらの画像は、縁の突出部を含むことができる。この実施形態は、直接的なインプリントを行うことが難しい領域、特に目の領域に対して特に有利である。
【０１３３】
インプリントは、たとえば所与の使用者の特定の身体領域に対して設定し、それに対応することができる。
【０１３４】
実施形態の別の例では、インプリントは可変的であり、それによって、転写のために基体がとる形状を随意に変えることが可能になる。
【０１３５】
支持体は、インプリントの形状を変更するためのシステムを含むことができ、特にコンピュータ支援システムの関連において、とりわけ少なくとも1つのアクチュエータによるインプリントの形状の変更を可能にする。
【０１３６】
インプリントの形状を変更するためのシステムは、任意のタイプのアクチュエータを含むことができる。このシステムは、たとえばいくつかの可動ピン、特に10〜4096個の間のピン、またはさらには64〜4096個の間のピン、特に64個の間のアセンブリを含み、ピンは、互いに独立に動かすことによって制御することが可能である。
【０１３７】
第1の構成では、転写面は、たとえば平坦または半球形である。優先的な変形形態において、転写面は「予備成形」され、すなわち、たとえば唇、眼窩、足首または前腕のネガなど、メークアップする領域の一般的な形状に対応する平坦ではない初期形状を有する。
【０１３８】
特に基体の転写面と反対側の面とインプリントとの間に広がる、基体とインプリントとの間の空間は、たとえば圧縮空気もしくは非圧縮空気、または液体などの流体で充填することができる。
【０１３９】
流体は、たとえばプリント中に過剰な圧力を生成するように、インプリントと基体との間の空間に注入される。基体は膨らんだ状態になる。そうした例では、基体を予備成形することが好ましい。
【０１４０】
第2の構成では、基体は、変形手段の機械的な作用に従ってインプリントの上に固定される。
【０１４１】
好ましくは、機械的な作用は、転写面との接触を伴わずにもたらされる。変形手段は、基体の転写面と反対側の面に力を加えることができる。
【０１４２】
変形手段は、空気式または水圧式とすることができる。
【０１４３】
変形手段は、吸引によって負圧を生成するように配置することもできる。変形手段は、たとえば前述の空間を空にするための吸引手段を含む。
【０１４４】
方法は、転写面が担持する少なくとも1つのインクによって形成されるパターンを完成するステップを含むこともできる。このパターン完成ステップは、たとえば指または特殊なツールを用いて実施することができる。たとえば、ある特定の領域に圧力が加えられるか、またはある特定の領域が加熱される。
【０１４５】
インクがケラチン物質の上に転写された後、転写面は、前記物質の領域から離れるように動かされ、次いで、存在する場合には、支持体から基体を取り外すことが好ましい。
【０１４６】
変形手段は可逆的とすることができ、特にケラチン物質への転写後の清浄化を容易にするために、基体の支持体の外への取り外しを容易にすることができる。
【０１４７】
たとえば第1のインクを用いてメークアップされた第1の領域と、メークアップされていないまたは第2のインクを用いてメークアップされた第2の領域との間の境界を薄くするように、方法は、ケラチン物質上に得られたメークアップを完成するステップを含むこともできる。メークアップ完成ステップは、たとえば転写されたパターンのすべてまたは一部に摩擦を加えることによって実施される。
【０１４８】
デバイス
その態様の別のものによれば、本発明の主題は、前述の本発明による方法によってヒトのケラチン物質をメークアップするための化粧用デバイスであり、デバイスは:
・ケラチン物質との接触によって転写される化粧用インクを受けることが意図される、転写面を画定する変形可能な基体と、
・少なくとも部分的に転写面の反対側に配置される支持体であって、基体が取り付けられ、少なくとも化粧用インクのケラチン物質上への転写の間、基体が載せられる支持体と、
・支持体をデジタルプリンタ上に保持するためのシステムと、
を含む。
【０１４９】
デバイスは、前述のような基体および/または支持体を含むことができる。
【０１５０】
転写面へのプリントの時点で、支持体は、デバイス保持システムによって、プリンタとともに完全に組み立てられも組み立てられなくてもよい。
【０１５１】
保持システムは、ケラチン物質上への転写の間、支持体と一体化しても一体化しなくてもよい。
【０１５２】
支持体は、プリントによるインクの付着の間、少なくとも部分的にプリンタとともに組み立てることができる。
【０１５３】
保持システムは、それをプリンタに取り付けることによって、またはそれをプリンタに導入することによって、支持体のすべてまたは一部をプリンタと組み合わせるように構成することができる。保持システムは、プリンタを少なくとも1つの支持フレームとともに組み立てるように構成することができ、基体は、特にピンと張られた状態で(taut)フレームに取り付けられる。
【０１５４】
フレームは、たとえば長方形など細長い形状のものとすることができる。
【０１５５】
デバイスは、本発明の関連において「基体ホルダ」として知られる取り外し可能な部分を含むことができ、それは、少なくともインクの転写面への付着の時点で存在して基体を支持し、したがって、パターンの正確なプリントを容易にする。
【０１５６】
好ましくは、インプリントを伴う支持体は、プリントの時点で基体と一体化され、保持システムは、デバイス全体をプリンタとともに組み立てるように構成される。
【０１５７】
基体ホルダは、プリントのために働くことができ、プリント後、手動でまたは自動的に取り外すことができる。
【０１５８】
基体ホルダは、たとえばローラであり、ローラの軸は、ローラをフレームの2つの滑走部(runner)に沿って摺動させて、ローラをプリント領域に向かわせるように各面において突出する。
【０１５９】
いくつかの実施形態の例では、デバイスの一部のみがプリンタとともに組み立てられる。たとえば、基体、フレームおよび存在する場合には基体ホルダのみが、プリントの間、プリンタに取り付けられ、その後、プリンタから分離され、支持体のインプリントに取り付けられる。
【０１６０】
転写面は、基体ホルダの形状を受け入れることができ、プリントの時点では特に平坦または半球形にすることができ、その後、変形手段の作用を受けて基体とともに変形させることができる。
【０１６１】
プリントステップの間、基体は、たとえばプレートの形の基体ホルダによって支持され、基体ホルダは、メークアップのケラチン物質上への転写ステップの前に取り外される。
【０１６２】
一変形形態において、支持体は、インクを付着させる間、十分な寸法安定性によって基体を直接支持し、基体ホルダは不要である。
【０１６３】
一変形形態では、後で説明するように、特にプリントの時点で基体を支持するのに十分な過剰な圧力を生成するようにプリンタと基体との間の空間に流体が注入されるとき、「基体ホルダ」は不要である。
【０１６４】
有利には、基体は再利用可能である。したがって、使用後に転写面を清浄化することができる。基体が支持体から取り外されている間、または取り外されていなくても、転写面を清浄化することができる。好ましくは、清浄化に基体の可撓性を利用するために、基体は支持体および基体ホルダから取り外され、次いでデバイスに再び一体化され、それによって再びプリントの準備ができる。
【０１６５】
デバイスは、転写面上に付着させた少なくとも1つの化粧用インクの被覆物を含むことができる。
【０１６６】
転写の直前にデバイス上に存在する着色インクは、完全に乾燥していなくてもよい。完全に乾燥していない着色インクをケラチン物質上に適用することによって、インクの転写が容易になる。
【０１６７】
特に着色インクの被覆物を流体化し、ケラチン物質上への転写を容易にするために、デバイスは加熱部材を含むことができる。
【０１６８】
実施形態の一例では、デバイス、特に基体は、転写することが意図される同じインクでプリントされた、または同じインクでプリントされていない表示を含む。表示は、たとえば着色インクを用いてメークアップすることが意図されるケラチン物質の性質を示すか、あるいは拡大する、縮小する、または他の方法で基体上に「逆さま(wrong-side up)」に付着したパターンの「上下関係を正しく(right-side up)する」ことを説明する。
【０１６９】
デバイスはハンドリング部材も含み、ハンドリング部材は、デバイスを保持し、インクの転写中に転写面とケラチン物質の接触を容易にすることができる。
【０１７０】
アセンブリ
その態様の別のものによれば、本発明は、同じパッケージングの中に、これまでに明示したような本発明による複数のデバイスを含む化粧用アセンブリに関する。
【０１７１】
アセンブリのデバイスは、それらの転写面上に付着させた着色インクを含んでいても含んでいなくてもよい。
【０１７２】
デバイスは、支持体、特にインプリントの形状が異なってもよい。
【０１７３】
デバイスは、基体、特にケラチン物質とかみ合うことが意図される転写面の形状および/または構成が異なってもよい。
【０１７４】
デバイスは、担持する着色インクの化学的性質、および/またはそれによって形成されるパターンが異なってもよい。
【０１７５】
その態様のさらに別のものによれば、本発明は、同じパッケージングの中に、これまでに明示したような1つまたは複数のデバイス、ならびに着色インクのカートリッジおよびデバイスの基体をインプリント上に固定するための変形手段の中から少なくとも1つを含む、化粧用アセンブリに関する。
【０１７６】
アセンブリは、いくつかのインクカートリッジおよび基体変形手段を含むことができる。
【０１７７】
アセンブリは、適切なプリンタを含むこともできる。
【０１７８】
プリンタ
その態様のさらに別のものによれば、本発明の主題は、化粧用インクをプリントによって本発明によるデバイスの転写面の上に付着させるように構成されたデジタルプリンタである。
【０１７９】
「デジタルプリンタ」という用語は、デジタルデータを用いてピクセルの形でプリントするための機械を意味し、印刷版を含む機械とは異なる。プリンタは、インクジェットプリンタ、たとえば感熱式もしくは圧電式プリンタ、昇華プリンタまたはレーザプリンタとすることができる。
【０１８０】
一例において、プリンタはレーザプリンタであり、レーザプリンタは、電子写真術または磁気写真術(magnetophotography)により、少なくとも1つの化粧用トナーを用いてパターンを有するインクの被覆物を転写面の上に形成することを可能にするように、かつ転写面上に存在するトナーを、それを位置決めする(take up)こと、またはヒトのケラチン物質との接触によって転写することを可能にする十分に自由な状態で送出するように配置される。
【０１８１】
「化粧用トナー」という用語は、レーザプリンタにおいて使用するとき、電子写真術または磁気写真術の方法による画像の形成と適合する粉末状の化粧用組成物を意味すると理解すべきである。好ましくは、それは電子写真術の使用に適したトナーである。
【０１８２】
トナーは、ヒトのケラチン物質への適用に適合しているという意味において化粧用である。メークアップする面に応じて、トナーの配合が異なってもよい。たとえば、髪または爪に適用する場合には、たとえば唇に適用するために用いることができないある特定の化合物を使用することが可能である。
【０１８３】
プリンタは、平坦ではない物体上へのプリントを可能にするGatocopy A426という機械など、食品グレードのインクジェットプリンタとすることができる。
【０１８４】
そうしたプリンタの使用は、前述のようなある特定の実施形態の例に特に適しており、特に「予備成形された」基体の上にプリントすること、またはインプリントを有するデバイスの上に直接プリントにすることを可能にし、プリントノズルは、たとえば転写面から0.1mm〜5mmの間、好ましくは0.1mm〜2mmの間の距離にある。
【０１８５】
プリンタは、本発明によるデバイスの保持システムと協働するように構成されたレセプタクルを含むことができる。
【０１８６】
プリンタは、有利には、ローラを回転させるための手段、および/または本明細書では以下において「ローラ駆動手段」と呼ぶパッド支持体を含むことができる。
【０１８７】
ローラ駆動手段は、ローラの回転をプリントノズルのスイープと同期させるように構成された歯車を含むことができる。
【０１８８】
プリンタは、ローラ駆動手段がローラを回転させるとき、またはパッドがパッドホルダによって担持されるとき、摩擦を避けるように、足部、特に調節可能な足部を含むことができる。
【０１８９】
プリンタは、少なくともプリントの時点で、ローラ、または少なくとも1つのパッドを担持するパッドホルダを収容するレセプタクルを含むことができる。
【０１９０】
レセプタクルは、ローラまたは支持パッドを取り外し可能に収容することを可能にすることができる。
【０１９１】
レセプタクルは、ローラまたはパッドホルダを案内することによって、それらを挿入し取り外すための少なくとも1つの滑走部を含むことができる。ローラまたはパッドホルダが滑走部に挿入された後、転写面は滑走部によってプリントノズルに近づく。
【０１９２】
プリンタは、ローラまたはパッド支持体を含むことができ、それらは、特に転写面の清浄化を容易にするため、および利用可能な範囲からパッドホルダまたはローラの使用を選択することを可能にするために、たとえば取り外し可能である。
【０１９３】
一変形形態において、プリンタは、転写面に接近するための窓部を含み、基体がプリンタ内に存在する間に、インクを転写することが可能である。
【０１９４】
プリントの幅は、たとえば0.2〜40cmの間、好ましくは5〜200mmの間、特に10〜120mmの間、さらに適切には10〜80mmの間、またはさらには10〜60mmの間である。
【０１９５】
優先的には、プリンタは、少なくとも1つの化粧用インクカートリッジを含む。プリンタは、いくつかのカートリッジ、特に異なる色のいくつかのカートリッジを含むことができる。
【０１９６】
本発明の非限定的な実装例に関する以下の説明を読み、添付図面を検討すると、本発明をより明確に理解することができる。
【図面の簡単な説明】
【０１９７】
【図１Ａ】本発明によるメークアップデバイスの一例の斜視図である。
【図１Ｂ】本発明によるメークアップデバイスの一例の立面図である。
【図１Ｃ】本発明によるメークアップデバイスの一例の立面図である。
【図２Ａ】図1A〜図1Cのデバイスおよび適切なプリンタを示す図である。
【図２Ｂ】図1A〜図1Cのデバイスおよび適切なプリンタを示す図である。
【図３】図1A〜図1Cのデバイスを用いる、本発明によるメークアップ方法を示す図である。
【図４】本発明によるメークアップデバイスの一変形形態の分解図である。
【図５Ａ】本発明によるメークアップ方法のあるステップを示す図である。
【図５Ｂ】本発明によるメークアップ方法のあるステップを示す図である。
【図５Ｃ】本発明によるメークアップ方法のあるステップを示す図である。
【図５Ｄ】本発明によるメークアップ方法のあるステップを示す図である。
【図５Ｅ】本発明によるメークアップ方法のあるステップを示す図である。
【図５Ｆ】本発明によるメークアップ方法のあるステップを示す図である。
【図６】本発明による化粧用アセンブリの例を示す図である。
【図７】本発明による化粧用アセンブリの例を示す図である。
【図８】本発明によるメークアップ方法の様々なステップを示すブロック図である。
【図９Ａ】基体を取り付ける前の本発明によるデバイスの他の例の立面図である。
【図９Ｂ】基体を取り付ける前の本発明によるデバイスの他の例の立面図である。
【図９Ｃ】基体を取り付ける前の本発明によるデバイスの他の例の立面図である。
【図１０Ａ】本発明によるデバイスの変形形態の斜視図である。
【図１０Ｂ】本発明によるデバイスの変形形態の斜視図である。
【図１０Ｃ】本発明によるデバイスの変形形態の斜視図である。
【図１０Ｄ】本発明によるデバイスの変形形態の斜視図である。
【図１１】本発明によるデバイスの変形形態の部分断面図である
【発明を実施するための形態】
【０１９８】
図1Aは、転写面3を画定する基体2を含む、本発明によるメークアップデバイス1を示している。
【０１９９】
基体2は、可撓性のある、圧縮可能かつ変形可能な材料で作られる。
【０２００】
基体2は、図示する例では、エラストマー材料で作られたプリントブランケットからなり、中空ローラ200の形の支持体20の上に固定されるが、支持体20には単純な摩擦によって取り付けられる。
【０２０１】
転写面3は滑らかであり、前述のような粗さ計を用いて測定すると50μm以下の粗さを有する。
【０２０２】
転写面3は、転写式メークアップの適用を実施するために、化粧用着色インク4の被覆物を受けることが意図された外面を構成する。
【０２０３】
着色インク4の被覆物を転写面3の上に付着させるために、図2Aおよび図2Bに示すデジタルプリンタ500が使用され、デジタルプリンタ500は、再現する画像のピクセルに対応するインクの点を付着させる。
【０２０４】
図1Bに示すように、取り外し可能なハンドル80を支持体20と一体化し、メークアップの転写中にデバイスを保持するためのハンドリング部材として働くようにすることができる。
【０２０５】
ハンドリング部材80が取り外し可能であると有利であり;したがって、ハンドリング部材80は、図1Aに示すように取り外すことができ、基体2をより簡単に支持体20の上に固定すること、および基体2を2回の使用の間で清浄化することを可能にする。考察中の例において、ハンドル80は、機械加工によって製造されたPOMで作られた2つのプラスチックのジョーを含み、ジョーは、ローラの形の支持体20の端部とともに組み立てることが意図される。
【０２０６】
考察中の例において、ハンドリング部材は、プリント中に使用される保持システム250を構成する。変形形態として、保持システムは異なるものである。
【０２０７】
図2Aおよび2Bに示すように、プリント中、デバイス1は、デバイス1の保持システム250とプリンタ500のレセプタクル520の協働によって、プリンタ500とともに組み立てられ、たとえば、アプリケータローラをプリンタ500上にクリック固定することが可能である。
【０２０８】
これらの図では、本発明によるデバイスの一体化を示すために、プリンタ500の外側ケースが除いてある。図2Aは、デバイスがないときのレセプタクル520を示し、図2Bは、デバイス1を収容しているプリンタ500を示している。図では、ローラは見えていない。
【０２０９】
一変形形態において、たとえば3個のパッドを担持するパッドホルダが、ハンドル80とともに組み立てられている。レセプタクル520は、たとえばローラまたはパッドホルダとともに組み立てられたハンドル80を受け入れて案内するための、したがって、それらのレセプタクル520内への挿入またはレセプタクル520からの取り外しを容易にするための2つの滑走部525を含む。したがって、転写面3はプリントノズルの近くに配置され、インク4の被覆物よって形成されるパターンの優れた精度を可能にする。ノズルと転写面との間の距離は、たとえば0.5mm〜1.5mmの間である。
【０２１０】
プリンタ500は、プリントの時点で基体2を通過させ、ローラ200の回転をプリントノズルのスイープと同期させるように構成された歯車を有するローラ駆動手段535も含む。
【０２１１】
ローラ駆動手段535は、たとえば、少なくとも部分的にフランジ内のレセプタクル520の左側に配置される。
【０２１２】
プリンタは、プリントの間に、ローラまたはパッドホルダによって担持され回転駆動されるパッドの摩擦を防止するための4つの足部530、たとえば調節可能な足部も含む。
【０２１３】
図1Cは、プリンタ500から取り外した後のデバイス1を表し、転写面3は化粧用インク4の被覆物を含む。
【０２１４】
再現する画像をネガとして表すパターン40が、プリンタ500を用いて転写面3の上に直接プリントされる。
【０２１５】
インク4の被覆物は、任意のタイプのパターンを形成することができる。パターンは、いくつかのインクからなることができる。
【０２１６】
メークアップの適用に対して推奨される位置決めに関する助言を与えるために、またはインク4などによってメークアップすることが意図されるケラチン物質の性質について知らせるために、基体2は、たとえばプリントによって形成される情報7を含むことができる。
【０２１７】
デバイス1は、示されていないが、たとえば支持体20の内部に配置される加熱部材を含むこともできる。
【０２１８】
図3は、本発明によるメークアップ方法の例を概略的に示している。
【０２１９】
図1A〜Cのローラ200は、プリントが実施された後、たとえばレセプタクル520から取り外される。
【０２２０】
転写メークアップは、プリントの直後またはプリントの30分以内だけではなく、プリント後数日以内、またはさらには数ヶ月以内に実施することもできる。
【０２２１】
ハンドル80を保持することによって、使用者は、着色インク4の被覆物を、図示した例では前腕であるメークアップする領域P(乾いていることが好ましい)と接触させて配置するように、ローラ200をケラチン物質に近づけ、次いで、使用者は、圧力を加えながら転写面3を回転させ、着色インク4をメークアップする領域Pの上に転写することを可能にする。矢印fによって示すように、圧力は、支持体20によって基体の転写面3と反対側の面に加えられる。
【０２２２】
ケラチン物質と接触している間、ローラ200は矢印tの方向に前進し、基体2は、転写されたパターンの外観に影響を与えないように、横向きに動かさないことが好ましい。
【０２２３】
ケラチン物質上に転写されたパターンは、基体2の上に存在するとき(すなわち、メークアップするケラチン物質の上にまだ転写されていないとき)には着色インク4の被覆物によってネガとして形成されていたパターン40に対してポジとして対応し、出発の画像を忠実に再現する。
【０２２４】
図4は、本発明の第2の実施形態によるデバイス1を示している。
【０２２５】
デバイス1は、化粧用インク4の被覆物を受けるように構成された、滑らかな転写面3を有する弾性変形可能かつ圧縮可能な基体2を含み、基体2は、フレーム6を介して支持体20に取り付けることができる。
【０２２６】
デバイス1は、取り外し可能な基体ホルダ12も含み、基体ホルダ12は、少なくとも化粧用インク4の被覆物を付着させる間、安定性をもたらし、基体の保持を可能にする。
【０２２７】
基体ホルダは、剛性または半剛性の材料で作ることができる。基体ホルダは、可撓性のあるプレートを含むことができる。支持体20は、ケラチン物質のメークアップする領域のインプリント60を形成するように構成することができる。
【０２２８】
支持体20は変形させることができ、また適切なインプリントを形成するように、ヒトのケラチン物質のメークアップする領域Pのレリーフに適合可能である。
【０２２９】
図示する例では、支持体20は、二重の矢印Sに従って動くことができる複数のピン601を含み、たとえば10〜500個の間のピン、さらに適切には100〜500個の間のピンが各々、案内部610の孔605の中に配置され、案内部610は柔らかくても硬くてもよい。小さいピンが孔の各々の中に配置される。ピンの長さは、案内部の厚さより大きい。
【０２３０】
システムは、ピンが孔から出るのを防止するための手段を備えるが、ピンが動くことは妨げない。たとえば、裏面にピンの出口の塞ぐ別の膜を配置することができ、あるいは代替えとして各ピンを弾性領域によって保持し、あるいは代替えとして各ピンが、ある特定の経路を超える動きを制限する1つまたは2つのスタブを有する。特にメークアップする領域に直接インプリントを行う間、可動ピンは、単純な機械的圧力によって別個にまたは群として動かすことができる。
【０２３１】
一変形形態において、可動ピンは、特に直接成形が不可能であるとき、または直接成形が望ましくないとき、液圧によって、または電磁力もしくは静電気力によって動かすことができる。可動ピンは、たとえばアクチュエータのシステムを介して動かされる。
【０２３２】
インクが転写される前にピンが動かないように、支持体は、インプリントを行った後、少なくとも一時的にピンの動きを妨げるためのシステムを含むことができる。このシステムは、機械的な力、または電磁力もしくは静電気力を使用することができる。このシステムは、ピンを動かすには不作動にし、ピンの動きを妨げるには作動させる制動システムとすることができる。
【０２３３】
好ましくは、ピン同士の間に摩擦が存在することによって、基体の固定中または転写中にピンの端部に加えられる力は、ピンを動かすには不十分なものになる。
【０２３４】
したがって、ピンは、固定中に基体と接触し、次いで圧力によって、基体に突出するレリーフおよびくぼみを与える。
【０２３５】
示されていないが、一変形形態において、支持体は、インプリントを行う間、ピンがケラチン物質と接触しないようにピンの群より上に可撓性のある膜も含む。
【０２３６】
示されていないが、一変形形態において、支持体は、可動膜から形成された外面、およびアクチュエータ、特にジャッキのシステムを含み、システムは、可動面を変形させるように、かつ/または特にインプリントもしくは画像処理を直接行った後、それをケラチン物質のレリーフに対応する位置に保持するように構成される。各ジャッキは、電磁石によって、または空気もしくは液圧の力によって動かすことができる。
【０２３７】
図5A〜図5Eに示すような別の変形形態では、支持体は、セットフォーム(set form)のインプリント60を含む。
【０２３８】
インプリント60は、3Dプリンタを用いて、またはたとえばプラスタ、アルギナートもしくはシリコーンを用いたメークアップする領域の直接成形によって、特に剛性または半剛性の熱可塑性材料で作られる。次いで、基体2が、フレーム6を介して支持体20の上に取り付けられ、デバイス1は、インク4の被覆物を転写面3の上に付着させるためにプリンタとともに組み立てられる。
【０２３９】
プリントの間、転写面は平坦であり、基体ホルダ12によって適所に保持される。
【０２４０】
図5Bは、プリント後、プリンタから分離された後のデバイスを示している。第1の構成では、デバイスは、インプリント60とエラストマー性の基体2の転写面3と反対側の面との間に、空気で充填された空間Eを有する。基体2は、プリントの時点では平坦な転写面3を有する。
【０２４１】
一変形形態において、空間Eは、圧縮空気または別の流体で充填され、転写面は、インナーチューブに似た半球形の外観を有する。次いで、基体ホルダ12が、たとえば手動で取り外され、空間Eの中に存在する空気が変形手段25(図示せず)を介して吸い出される。
【０２４２】
したがって、基体2は、第1の構成と、メークアップする領域上へのインクの転写に対応する第2の構成との間で変形可能であり、したがって第2の構成では、図5Cに示すように、基体2はインプリント60に対して固定され、転写面はメークアップする領域Pの形をとる。
【０２４３】
次いで、転写面3をメークアップする領域Pと接触するように配置するために、デバイスがケラチン物質に近づけられる。図5Dは、長方形断面のフレーム6を含むデバイス1を頬および鼻と接触するように配置することを示している。図5Eのデバイスは、図5Dのデバイスと形状が異なる。
【０２４４】
図5Fは、転写されたメークアップを示している。本発明は、正確かつ再現可能なメークアップの適用を可能にし、メークアップは、その複雑さにもかかわらず適用しやすい。
【０２４５】
化粧用インクのパターンを転写面上に再現する被覆物4をプリントするために、基体2および支持体ホルダ12を担持する支持体20が、平坦ではない物体の上にプリントするための食品グレードのインクジェットプリンタ型のプリンタとともに組み立てられる。
【０２４６】
図示した変形形態では、フレーム6は、基体2を支持体20に取り付けるようにも、システム250としてデバイス1をプリンタ500とともに保持するようにも働く。
【０２４７】
一変形形態では、基体2および基体ホルダ12を備えたフレーム6のみが、プリンタとともに組み立てられるように、たとえばプリンタ500の中に導入されるように構成される。
【０２４８】
図6は、本発明による化粧用アセンブリ10の実施形態の例を示している。このアセンブリは、同じパッケージングの中に、支持体20のタイプまたは形状が異なる複数の本発明によるデバイス1および1'を含む。
【０２４９】
図示した例では、デバイスの各々が、その転写面3上に、所望のパターンに対するネガパターン40を形成する着色インク4の被覆物を含む。
【０２５０】
パッケージングは、インクが乾燥するのを防止するために漏出防止性にすることができる。パッケージングは、早まった転写のリスクを低減するように、インクが転写面以外の面と接触することを避けるための手段を用いて作製することができる。たとえば、パッケージングは、壁がインクで被覆された転写面からある距離だけ延びる、熱形成されたシェルを含む。
【０２５１】
加えて、インプリント60を含むデバイス1'は、たとえばその第2の構成としてパッケージ化され、基体2はインプリント60の上に固定される。
【０２５２】
図7は、支持体20のタイプまたは形状が異なる複数の本発明によるデバイス1および1'を含む、本発明による化粧用アセンブリ10の実施形態の変形形態を示している。
【０２５３】
第1のデバイス1は、着色インクによってプリントすることが意図された転写面3を備えた基体2を含み、基体2はローラ200の形の支持体20の上に固定され、ハンドル80は保持手段250としても働く。
【０２５４】
アセンブリ10は、たとえば本発明による複数のローラ200およびパッドホルダ350を含む。第1のローラ200は、たとえばこれまでに理解されたように、プリンタ上に保持するためのシステム250として働くことが可能なハンドル80とともに組み立てられる。
【０２５５】
化粧用アセンブリ10は、異なる厚さの基体2を担持するように配置された複数のローラ200を含む。アセンブリのすべてのローラ200は、ローラに取り付けられた基体とともに測定すると同じ直径Dを有する。空のローラ200、すなわち基体を取り付ける前のローラ200の各直径dは、デバイスの転写面が直径D、特に直径60mmの円筒を画定するような基体の厚さeに対応する。
【０２５６】
図11に示すように、厚さeおよび直径dは、ローラの長手方向の軸に沿って変化してもよい。
【０２５７】
各ローラ200は、着色インクによってプリントすることが意図された転写面3を備えた基体2を含み、基体2は、特にローラの上に固定される。
【０２５８】
化粧用アセンブリ10はまた、保持手段250およびいくつかのパッド300にも適合させることが可能なパッド支持体350、ならびに切断され、基体としてパッドに接着されるエラストマー性フィルムの細片を含む。
【０２５９】
いくつかのデバイス1'が、メークアップする様々な領域に対応するインプリント60を含む。
【０２６０】
デバイスはインクのいかなる被覆物も含まず、化粧用アセンブリ10は、同じパッケージングの中に、転写面3の上に付着させることが意図された1つまたは複数の化粧用着色インクを含むプリンタカートリッジ21、および基板2をインプリント60の上に固定するための変形手段25を含む。示されていないが、一変形形態において、アセンブリは、たとえば異なるインクが入れられたいくつかのカートリッジを含む。
【０２６１】
この化粧用アセンブリは、適切な場合には、カートリッジの使用が意図されたプリンタとともに使用者に提供することができる。
【０２６２】
次に、本発明によるメークアップ方法の例を、図8を参照して説明する。
【０２６３】
方法は、メークアップする領域、および本発明によるデバイスの範囲から選ばれたパターンに適したデバイスを選択するステップ111を含むことができる。
【０２６４】
メークアップする領域Pはレリーフを含み、使用されるデバイス1は、前記レリーフに対応するインプリント60を含むことが好ましい。
【０２６５】
したがって、本発明によるメークアップ方法は、インプリントを作製する予備ステップ110を含むことができる。
【０２６６】
インプリント60は、ステップ110の間に、たとえばケラチン物質の領域Pの上に直接成形すること、または3Dプリントおよび画像処理を行うことによって作製される。
【０２６７】
一変形形態において、インプリント60は、特に特定の使用者のケラチン物質の正確な領域に対して数回使用されるように用意され、それが意図される。
【０２６８】
別の変形形態において、インプリントは、各転写メークアップを適用する前に、変更およびカスタマイズすることができ、したがって、まさにモジュール式に、使用者および/またはメークアップする領域の変更に適合させることができる。
【０２６９】
方法は、転写するパターンをプリントすることを含み、パターンを選択するステップ100〜103も含むことができる。
【０２７０】
第1のステップ100では、たとえば機械のスクリーン上に表示することによって、使用者に様々なパターンが提案される。
【０２７１】
提案されるパターンの範囲は、いくつかの異なる転写デバイスを必要とするメークアップのいくつかの領域に対応することができる。
【０２７２】
使用者がパターンを選択するステップ101は、プリントすることが意図されるパターンを選択するためにタッチスクリーンを押すなどの行為を含むことができる。
【０２７３】
機械は、使用者にメークアップ結果のシミュレーションを提供することもできる。したがって、機械は、選択または生成されたパターンによってメークアップされたケラチン物質の外観のシミュレーションを表示することができる。これを行うために、機械は、メークアップするケラチン物質の少なくとも1つの画像を取得することができる。
【０２７４】
一変形形態において、使用者は、自身がプリントすることを望むパターンを有するコンピュータファイルを作製する。この場合、使用者は、そうしたパターンを作製するための描画ソフトウェアを使用すること、およびたとえば.jpg画像フォーマットのファイルとしてそれを編集することが可能である。
【０２７５】
パターンが選択または作製された後、ステップ102では、機械が、パターンのプリントに必要なデータをプリンタに送り、特に使用するデバイスを指定する。このデバイスはインプリントを含むことができ、インプリントは、特にステップ110の間にメークアップする領域に従って作製されるか、またはステップ111の間にデバイスの範囲から選択される。
【０２７６】
次いでデバイスは、ステップ103において、少なくとも部分的にプリンタとともに組み立てられる。選択されたデバイスに応じて、デバイスのすべてまたは一部が、保持システムによってプリンタとともに組み立てられ、たとえば、基体および基体ホルダがプリンタに取り付けられる。
【０２７７】
一変形形態では、フレーム、基体および基体ホルダのみがプリンタに取り付けられる。
【０２７８】
機械は、物理的にかつ/またはネットワークによって、プリントを実行するプリンタに接続することができる。
【０２７９】
データが受信され、支持体、またはさらにはデバイス全体がプリンタとともに組み立てられた後、ステップ103では、デバイスが少なくとも部分的にプリンタとともに組み立てられている間に、パターンが転写面上にネガとしてプリントされる。したがって、図1Cおよび図5Bは、異なるタイプの本発明によるデバイスの転写面の上にプリントされたパターンを示している。
【０２８０】
プリンタドライバは、プリンタに取り付けられた他のカートリッジの中の化粧用インクカートリッジ、および/またはプリントされる基体の性質を選択するためのメニューを含むことができる。変形形態として、プリンタは、取り付けられたカートリッジが化粧用インクであることを自動的に認識し、結果として動作パラメータを調節する。したがって、カートリッジは、それが含む着色インクの性質に関する情報、特にこのインクが化粧用の性質のものであるという情報をプリンタに提供するための識別子、たとえば電子チップを含むことができる。
【０２８１】
実施形態の一例では、組み立てられたデバイスが選択されたパターンに対応していない場合、および/またはヒトのケラチン物質、特に皮膚、爪または唇と接触するように配置することが意図されない組成物を含むカートリッジの存在が検知された場合、プリンタは、プリントを禁止するように構成される。
【０２８２】
変形形態として、ヒトのケラチン物質、特に皮膚、爪または唇と接触するように配置することが意図されない組成物を含むカートリッジの存在が検知された場合でも、プリンタはプリントを実施することができ、この化粧用ではないインクカートリッジは、転写面が担持する化粧用着色インクおよび/またはメークアップするケラチン物質の性質に関する
指示7を基体の上にプリントするために用いられることがある。
【０２８３】
基体上に付着するインクの量を増加させるように、基体のプリントをいくつかのパスで行い、同じ場所にインクを連続して付着させることができる。基体は、たとえばプリンタ内で1〜20の間のパスで実施することができ、乾燥した形で付着した化粧用インクの量は、たとえば0.1mg/cm2〜10mg/cm2、さらに適切には0.2mg/cm2〜5mg/cm2の範囲である。
【０２８４】
パターンは、単色、またはさらに適切には多色とすることができる。この場合、プリントは、再現する色に応じて、微視的なスケールで局所的に並置させた複数の化粧用インクを用いて、プリンタ内の各経路において実施することができる。
【０２８５】
プリントの解像度は、16dpi〜2048dpiの間とすることができる。
【０２８６】
当業者に知られている方法では、プリンタは、新しいインクの被覆物をプリントする前に、以前に基体上に付着させたインクが十分に乾燥しているかどうかを検知するように配置することができる。
【０２８７】
プリンタおよび/またはプリンタドライバは、すでにプリントされた基体の上に新しいプリントを実施する前に、所定の時間待つ必要があることを使用者に知らせるように作製することができる。十分乾燥させるのに十分な時間が経過していない場合、プリンタおよび/またはプリンタドライバは、すでにプリントされた基体のプリントを自動的に保留することができる。プリンタは、プリントするインクの被覆物すべてがプリントされない限り、プリントされた基体を送出しないように配置されることが好ましい。
【０２８８】
次いで、インクをケラチン物質の上に転写できるようにするために、デバイスは任意選択でプリンタから分離される。
【０２８９】
支持体に取り付けられた基体の上にプリントが実施されるが、その支持体がデバイスの残りの部分に一体化して取り付けられていない場合、ステップ104の間にデバイスが再び組み立てられ、特にフレームが支持体の上に再び位置決めされる。
【０２９０】
たとえば、基体は、図5Bに対応する第1の構成として支持体に取り付けられる。
【０２９１】
インプリント60を備えたデバイスの実施形態が使用されるとき、着色インクをケラチン物質の上に転写する前に、基体2は、ステップ120の間に変形手段の機械的な作用の影響を受けて支持体20に対して固定され、たとえば、図5Cに示すような第2の構成をとる。
【０２９２】
方法は、任意の基体ホルダ12および/または保護フィルムを取り外すことによって開始することができるが、それらは、特に基体をインプリントの上に固定する時点までプリントされたパターンの安定性を維持するように、開始前には取り外されない。次に基体2は、変形手段25、特に流体25の吸引のための手段75の作用の下で変形を受ける。
【０２９３】
たとえば図1A〜図1Cなどのアプリケータローラに対応するデバイス1の場合、基体の支持体上への固定は、着色インクを転写面3上に付着させる前に実施される。この実施形態では、基体2は支持体20の上に直接固定され、ステップ120は不要である。
【０２９４】
次いで、ステップ130の間に、転写面3とケラチン物質Pの単純な接触によって、特に図3に示すようなローラ200の形のデバイスの場合にはデバイスをケラチン物質上で回転させることによって、または図5Dおよび図5Eのように基体2で被覆されたインプリント60を適用することによって、転写が行われる。転写は、ステップ130の間に、デバイスをケラチン物質に押し付けることによって容易になる。
【０２９５】
転写面上のパターンを完成させるステップ131が、ステップ130に先行してもよい。この転写面上に付着したパターンを完成するこのステップは、指または特殊なツールを用いて、または幾何学的な修正システムによって実施することができる。たとえば、ある特定の領域に圧力が加えられるか、またはある特定の領域が加熱される。
【０２９６】
ステップ130の後に、メークアップの適用を完成させるステップ132を続けることができる。
【０２９７】
ステップ130は、デバイスの加熱を含むことができる。
【０２９８】
図9Aは、基体を支持体に取り付ける前の、本発明によるデバイスの変形形態を示している。図示するデバイスは、図1A〜図1Cのシステムのハンドルに似たハンドル80を含む。このハンドル80は、いくつかの異なるローラ200とともに使用することができ、基体の様々な厚さおよび様々な取り付けモードに適合させることができる。
【０２９９】
図1A〜図1Cの実施形態の例における基体は、摩擦によって支持体に取り付けられていたが、本発明によるデバイスは、プリント用の基体を支持体20に取り付けるための手段25を含むことができる。
【０３００】
図9Aに示すブロッキング手段25は、ローラの外面上の溝21、ローラ200の各端部に配置されたカムによって開口が駆動されるダブルクリップ22、およびダブルクリップを閉じた状態に保つためのばねシステム(図示せず)を含む。
【０３０１】
図9Bに示す例では、基体をローラに取り付けるための手段25は、たとえばねじ留めによってローラのハウジング24内に取り付けるように配置された固定用のジョー26を含み、基体を適所に保持する。
【０３０２】
空のローラ200の直径dは、基体の厚さeに対応するように選択され、基体2が適所に位置するようになると、転写面3は、たとえば60mmに等しい直径Dの円筒を形成する。
【０３０３】
図10A〜図10Dは、保持システム250、特にハンドル80とともに組み立てることが意図されたパッドホルダ350を示している。
【０３０４】
これらの図は、たとえば同時に3つのパッドを受けることができる、本発明によるパッドホルダ350を示している。
【０３０５】
基体2は、各パッド300の外面に接着され;基体2は、たとえば支持体に接着されたエラストマー性フィルムから切り出される。
【０３０６】
図10A〜図10Dの例では、ローラの代わりに、パッド支持体350が保持システム250のハンドル80に加えられている。
【０３０７】
示されていないが、一変形形態では、パッドホルダは1個のパッドのみを受けるように構成される。
【０３０８】
パッド支持体は、たとえば1〜5個のパッドを受けることができる。
【０３０９】
優先的には、パッド支持体350およびパッド300は、パッドの転写面が特に直径60mmの円筒形の包絡面に属するように構成される。
【０３１０】
図10A〜図10Dは、パッドの形の支持体を含む本発明による様々なデバイスを示している。図10Aのシステム10は、ここでは保持手段に取り付けて示す、パッドの形のただ1つのデバイス1を含む。図10Bは同じシステムを示すが、パッドの形のデバイスは、保持手段から分離されている。デバイスは、正方形の端部81で終わるスリーブの形の保持部材85を含み、それをパッド支持体350のハウジング351の中に取り付けることが可能である。
【０３１１】
パッドは、たとえば10°〜210°の間の角度によって画定される円筒部に対応することができる。円筒部は、特に円筒の1/10〜4/5の間、とりわけ円筒の1/5〜3/4の間であり、あるいは4分の1の円筒または2分の1の円筒に対応することもできる。したがって、図10Aおよび図10Bに示すパッド300は、10°の角度αに対応する、それらの大きい軸に沿った細長い円筒形の転写面3を有する。
【０３１２】
図10Cは、転写面が4分の1の円筒を画定する円筒の一部である3個のパッド300を示している。図10Aおよび図10Bに示すパッド300は、その大きい軸に沿った細長い円筒形の外面を含む。
【０３１３】
図10Cは、外面が円筒の一部である3個のパッドを示している。
【０３１４】
図10Cのパッドは、それらの小さい軸に沿った細長い円筒形状のものである。
【０３１５】
図10Dのデバイスの変形形態は、球形状の3個のパッドを含む。
【０３１６】
示されていない変形形態では、パッド300の外面は平坦である。
【０３１７】
示されていない別の例では、パッドに取り付けられる基体が予備成形される。基体2は各パッド300の外面に接着され;基体2は、たとえば支持体に接着されたエラストマー性フィルムから切り出される。
【０３１８】
ハンドル80は、ローラ200またはパッド支持体350の回転を妨げるためのデバイス320を含むことができる。
【０３１９】
実施例
実施例2)
(図5Cおよび図8)
この例では、砂時計の形のローラを充填する。空の直径dは、中心では端部よりも20mm小さい。
【０３２０】
ローラに60mmに等しい直径Dを有する円筒形状を与えるように、このローラのまわりにエラストマー性シリコーンのコーティングを成形する。
【０３２１】
基体の中心部は側面部よりも柔らかく、それによって、このタイプのローラは、顎先または腕などの半球形の身体領域に特に適したものになる。
【０３２２】
腕への転写式メークアップの適用のための実施例3)
長さ20cmおよび幅8cmにわたって、腕にアルギナート組成物を適用した。
【０３２３】
固体を硬化させた後、作製されたばかりのインプリントを、2つの端部が触れるように巻き上げる。それによって、砂時計の形の可撓性のある物体が得られる。
【０３２４】
この物体から、型を2つの部分として作製する。
【０３２５】
型の2つの部分を開き、そこからインプリントによって作製された可撓性のある物体を取り出す。
【０３２６】
次いで、重合可能な樹脂組成物を、内部に作られた孔を介して型の2つの部分の中に導入する。
【０３２７】
硬化後、型からキャストを取り出す。次いで、前述の例のように、可撓性のあるエラストマー組成物を、円筒を作製するように適用することによって方法を実施する。
【０３２８】
このローラは、腕の上にプリントするのに特に適している。
【０３２９】
これらの例は、ローラを用いる実施形態に対応する。
【０３３０】
Canon IP100プリンタを使用する。
【０３３１】
プリンタケースを取り外した。通常は駆動ローラを回転するために使用される歯車を残
し、シート駆動ローラシステムを、プリントローラの形の支持体をプリントノズルのスイープに対して同期した形で回転させるように配置された駆動システムで置き換えた。
【０３３２】
実施例1のプリントローラは充填され、60mmの直径および80mmの長さを有する円筒形である。それを、デルリン型の硬いプラスチックから作製し、厚さ2mmのシリコーンエラストマーのフィルムから形成された基体2で被覆する。
【０３３３】
プリントの間、プリントローラを、プリントノズルに近づき(約1ミリメートルの距離)、満足のいくプリント品質を得るように、前述のような保持システムによってプリンタに取り外し可能に取り付ける。
【０３３４】
シートプレゼンスシステム(sheet presence system)を、プリントの機能を妨げないように変更した。
【０３３５】
様々なサイズのローラの自由な回転を保証すると同時に、プリンタの一部に対する摩擦の発生を避けるように、使用されるプリンタの本体は、持ち上げることができる足部を有する。
【０３３６】
プリント後、デバイスをプリンタから取り外し、メークアップする領域と接触させる。
【０３３７】
この例のローラは、背中など比較的平坦で大きい面に特に適している。
【０３３８】
実施例2)
この例は、図1〜図3に示す実施形態に対応する。
【０３３９】
支持体は、直径5cmの通常の円筒形のアプリケータローラであり、その上に、たとえばPolytek社によってPatsil(登録商標) Gel 10という名称で販売されているエラストマー材料から作られる、厚さ5mmのプリントブランケットの形の基体を固定する。
【０３４０】
ローラなどの上にプリントすることができるように、アプリケータローラを、前述のように適合されたCanon IP100プリンタとともに組み立てる。
【０３４１】
プリント後、システムをプリンタから取り外し、メークアップする領域と接触させる。
【０３４２】
ローラの接触による転写は、特に爪および頬に対して、迅速、簡単かつ正確である。
【０３４３】
実施例3)
この例は、図9Cおよび図11に示す実施形態に対応する。
【０３４４】
この例では、ローラ200は充填され、砂時計の形であり、空の直径dは、ローラの中心では端部よりも20mm小さい(直径は、縁部では60mm、中心では40mm)。
【０３４５】
ローラに60mmに等しい直径Dを有する円筒形状を与えるように、このローラのまわりにエラストマー性シリコーンのコーティングを成形する。
【０３４６】
基体の中心部は側面部よりも柔らかく、それによって、このタイプのローラは、顎先または腕などの半球形の身体領域に特に適したものになる。
【０３４７】
実施例4)
長さ20cmおよび幅8cmにわたって、メークアップする腕の一部にアルギナート組成物を適用した。
【０３４８】
固体を硬化させた後、作製されたばかりのアルギナートのインプリントを、2つの端部が触れるように巻き上げる。それによって、砂時計の形の可撓性のある物体が得られ、それを用いて、型を2つの部分として作製する。次に、重合可能な樹脂組成物を、孔を介して型の2つの部分の間に導入し、砂時計の形のローラを作製する。
【０３４９】
硬化後、ローラの形のデバイス用の支持体として働くことが可能な砂時計の形の物体を取り出す。次いで、前述の例のように、腕の一部への転写に特に適合されたローラを作製するようにエラストマー性の基体を固定することによって、方法を実施する。
【０３５０】
実施例5)
目の領域の反対の型を形成する、プラスタのインプリントを作製する。
【０３５１】
厚さ2mmのプリントブランケットの形の基体を担持する支持体のフレームを、たとえば実施例1で使用したエラストマー材料から作製し、次いで、インプリントのまわりに配置する。
【０３５２】
次いで、デバイスを、化粧用インクのカートリッジを備えた食品グレードのインクジェットプリンタGatocopy A426とともに組み立てる。
【０３５３】
プリント後、内部の基体ホルダのプレートを(プレートを保持していたシステムのクリップを外すことによって)取り外す。次いで、吸引を実施し、それによって基体をインプリントに対して引き寄せ、全体を目の領域に適用する。
【０３５４】
次いで、システムに空気を入れる。ブランケットはその元の形状を回復し、基体ホルダのプレートを再び挿入する。
【０３５５】
次いで、新しいプリントを実施することができる。
【０３５６】
(実施例6)
前述の例に従って、目の領域の反対の型を形成するプラスタのインプリントを作製し、次いで、エラストマー材料で作製した、厚さ2mmのプリントブランケットの形の基体を担持する支持体のフレームを、インプリントのまわりに配置する。
【０３５７】
この変形形態では、基体ホルダを使用せず、インプリントと基体との間の空間に空気を注入し、それが、基体を膨らませる過剰な圧力を生成する。次いで、デバイスを、化粧用インクのカートリッジを備えた食品グレードのインクジェットプリンタGatocopy A426とともに組み立てる。
【０３５８】
転写領域へのプリントを実施する。過剰な圧力が、プリントの品質を高め、プリンタノズルを、たとえば転写面から2mm〜5mmの間の距離に配置する。
【０３５９】
プリント後、デバイスをプリンタから離すように動かし、次いで基体をインプリントに対して引き寄せるように吸引を実施し、全体を目の領域に適用する。インクの転写は、単純な接触によって行われる。
【０３６０】
転写後、デバイスをケラチン物質の領域から取り外し、次いでシステムに空気を入れる。ブランケットは、清浄化のために簡単に取り外すことができ、その後、新しいプリントのためにそれを再び挿入する。
【０３６１】
様々な実施形態の例の特徴を、示されていない変形形態の範囲内で共に組み合わせることができる。「1つを含む(comprising a)」という表現は、異なる指定がない限り、「少なくとも1つを含む(comprising at least one)」と同義であると理解すべきである。
【符号の説明】
【０３６２】
1  メークアップデバイス、デバイス
1'  デバイス
2  基体
3  転写面
4  化粧用着色インク、化粧用インク、インク、着色インク、被覆物
6  フレーム
10  化粧用アセンブリ、アセンブリ、システム
12  基体ホルダ
20  支持体
21  プリンタカートリッジ、溝
22  ダブルクリップ
24  ハウジング
25  変形手段、ブロッキング手段
26  ジョー
40  パターン、ネガパターン
60  インプリント
80  ハンドル、ハンドリング部材
81  端部
85  保持部材
200  中空ローラ、ローラ
250  保持システム、保持手段
320  デバイス
350  パッドホルダ、パッド支持体
351  ハウジング
500  デジタルプリンタ、プリンタ
520  レセプタクル
525  滑走部
530  足部
535  ローラ駆動手段
601  ピン
605  孔
610  案内部
P  メークアップする領域、ケラチン物質
E  空間
【図１Ａ】
2020078567.tif 000003
【図１Ｂ】
2020078567.tif 000004
【図１Ｃ】
2020078567.tif 000005
【図２Ａ】
2020078567.tif 000006
【図２Ｂ】
2020078567.tif 000007
【図３】
2020078567.tif 000008
【図４】
2020078567.tif 000009
【図５Ａ】
2020078567.tif 000010
【図５Ｂ】
2020078567.tif 000011
【図５Ｃ】
2020078567.tif 000012
【図５Ｄ】
2020078567.tif 000013
【図５Ｅ】
2020078567.tif 000014
【図５Ｆ】
2020078567.tif 000015
【図６】
2020078567.tif 000016
【図７】
2020078567.tif 000017
【図８】
2020078567.tif 000018
【図９Ａ】
2020078567.tif 000019
【図９Ｂ】
2020078567.tif 000020
【図９Ｃ】
2020078567.tif 000021
【図１０Ａ】
2020078567.tif 000022
【図１０Ｂ】
2020078567.tif 000023
【図１０Ｃ】
2020078567.tif 000024
【図１０Ｄ】
2020078567.tif 000025
【図１１】
2020078567.tif 000026
【外国語明細書】
2020078567000001.pdf